(57)【特許請求の範囲】
【請求項１】
並列運転を行う複数の発電機のそれぞれの出力電流を一次電流とする複数の変流器と、
制御部と、を備え、
前記複数の変流器のそれぞれは三次巻線付変流器であって、前記一次電流によって磁束を生じるコアと、前記コアに巻かれた二次巻線と、前記コアに巻かれた三次巻線と、を備え、
前記複数の変流器のそれぞれの二次巻線は互いに直列に接続され、
前記複数の変流器のそれぞれの三次巻線は互いに並列に接続され、
前記制御部は、前記二次巻線の電流に基づいて前記複数の発電機のそれぞれの発電電力が等しくなるように前記複数の発電機を制御する、負荷分担装置。
【請求項２】
前記二次巻線の電流を検出する電力検出器を備え、
前記制御部は、前記電力検出器が検出した前記二次巻線の電流および前記複数の発電機の電圧に基づいて前記複数の発電機の平均電力を算出し、前記複数の発電機のそれぞれの発電電力が前記平均電力となるように前記複数の発電機を制御する、請求項１に記載の負荷分担装置。
【発明の詳細な説明】
【技術分野】
【０００１】
本発明は、並列運転を行う複数の発電機の出力分担を制御する負荷分担装置に関する。
【背景技術】
【０００２】
並列運転を行う複数の発電機の発電電力をそれぞれ検出し、各発電機の発電電力が等しくなるように制御を行う技術が従来から知られている。
【０００３】
特許文献１は、並行運転中の発電機の平均電力を演算で求めて基準電力とする負荷分担装置（発電機の並行運転制御装置）を開示する。また、特許文献２は、２つの発電機に分担されている電力Ｐ1，Ｐ2の差分を演算で求めて、この差分に基づき両発電機の負荷分担率が同じくなるように制御する技術を開示する。
【先行技術文献】
【特許文献】
【０００４】
【特許文献１】特公平７−４６８８９号公報
【特許文献２】特公平４−６３６１２号公報
【発明の概要】
【発明が解決しようとする課題】
【０００５】
特許文献１および特許文献２に記載の技術は、並列運転を行う複数の発電機それぞれの電力をもとに基準電力（例えば平均値）を求めて発電機の出力分担を制御するものである。
【０００６】
そのため、特許文献１および特許文献２に記載の技術では、例えば平均電流を求めるのに、複数の発電機のそれぞれの電流を測定し、測定値を合計してから発電機の台数で割るといった演算処理が必要であった。
【０００７】
前記のような問題点に鑑みてなされた本発明の目的は、並列運転を行う複数の発電機について、容易に平均電流を取得可能であり、それぞれを等しい電力で動作させることができる負荷分担装置を提供することにある。
【課題を解決するための手段】
【０００８】
前記課題を解決するため、本発明に係る負荷分担装置は、並列運転を行う複数の発電機のそれぞれの出力電流を一次電流とする複数の変流器と、制御部と、を備え、前記複数の変流器のそれぞれは三次巻線付変流器であって、前記複数の変流器のそれぞれの二次巻線は互いに直列に接続され、前記複数の変流器のそれぞれの三次巻線は互いに並列に接続され、前記制御部は、前記二次巻線の電流に基づいて前記複数の発電機のそれぞれの発電電力が等しくなるように前記複数の発電機を制御する。
【０００９】
また、本発明に係る負荷分担装置において、前記二次巻線の電流を検出する電力検出器を備え、前記制御部は、前記電力検出器が検出した前記二次巻線の電流および前記複数の発電機の電圧に基づいて前記複数の発電機の平均電力を算出し、前記複数の発電機のそれぞれの発電電力が前記平均電力となるように前記複数の発電機を制御することが好ましい。
【発明の効果】
【００１０】
本発明に係る負荷分担装置によれば、並列運転を行う複数の発電機について、容易に平均電流を取得可能であり、それぞれを等しい電力で動作させることができる。
【図面の簡単な説明】
【００１１】
【図１】本発明の第１実施形態に係る負荷分担装置の構成例を示す図である。
【図２】負荷分担装置の制御方法を説明するための図である。
【図３】本発明の第２実施形態に係る負荷分担装置の構成例を示す図である。
【図４】一般化した負荷分担装置の構成例を示す図である。
【発明を実施するための形態】
【００１２】
以下、本発明の実施形態について図面を参照しながら説明する。
【００１３】
［第１実施形態］
（負荷分担装置）
図１は、第１実施形態に係る負荷分担装置１の概略構成図である。負荷分担装置１は、２つの変流器Ｔ1，Ｔ2と、電力検出器２０と、制御部１０と、を備える。負荷分担装置１は、２つの発電機ＳＧ1，ＳＧ2と接続される。本実施形態において発電機ＳＧ1と発電機ＳＧ2とは容量が等しい。図１に示されるように、２つの発電機ＳＧ1，ＳＧ2は母線Ｐに並列に接続されて、並列運転して電力を供給する。負荷分担装置１は、２つの発電機ＳＧ1，ＳＧ2の出力分担を制御して、発電機ＳＧ1，ＳＧ2の発電電力が等しくなるように制御する。
【００１４】
変流器Ｔ1，Ｔ2のそれぞれは三次巻線付変流器である。つまり、変流器Ｔ1，Ｔ2のそれぞれは、一次巻線（図１の例では端子をＫ，Ｌとする巻線）および二次巻線（図１の例では端子をｋ2，ｌ2とする巻線）に加えて、二次巻線と同一のコアに巻かれた三次巻線（図１の例では端子をｋ3，ｌ3とする巻線）を有する。ここで、発電機ＳＧ1，ＳＧ2の出力電流が多相である場合、変流器Ｔ1，Ｔ2のそれぞれは、相の数に応じた複数の一次巻線、二次巻線および三次巻線を有する。
【００１５】
図１に示されるように、発電機ＳＧ1，ＳＧ2は母線Ｐに並列に接続されている。そして、発電機ＳＧ1，ＳＧ2それぞれの出力電流ｉ11，ｉ12が流れている。変流器Ｔ1，Ｔ2の一次巻線には、それぞれ出力電流ｉ11，ｉ12が流れる。つまり、変流器Ｔ1の一次電流は発電機ＳＧ1の出力電流ｉ11である。また、変流器Ｔ2の一次電流は発電機ＳＧ2の出力電流ｉ12である。
【００１６】
負荷分担装置１の２つの変流器Ｔ1，Ｔ2の二次巻線は互いに接続されている。詳細には、これらは互いに直列に接続される。つまり、変流器Ｔ1の二次巻線のｋ2端子は変流器Ｔ2の二次巻線のｌ2端子と接続される。そして、変流器Ｔ2の二次巻線のｋ2端子は変流器Ｔ1の二次巻線のｌ2端子と接続される。ここで、変流器Ｔ1の二次巻線には、ｋ2端子から外部配線を通ってｌ2端子に向かって二次電流ｉ21が流れる。また、変流器Ｔ2の二次巻線には、ｋ2端子から外部配線を通ってｌ2端子に向かって二次電流ｉ22が流れる。変流器Ｔ1，Ｔ2の二次巻線は互いに直列に接続されているため、二次電流ｉ21と二次電流ｉ22とは大きさも位相（電流の向き）も等しく、以下の式が成り立つ。
ｉ21＝ｉ22＝ｉ2  …  式（１）
【００１７】
負荷分担装置１の２つの変流器Ｔ1，Ｔ2の三次巻線も互いに接続されている。詳細には、これらは互いに並列に接続される。つまり、変流器Ｔ1の三次巻線のｋ3端子は変流器Ｔ2の三次巻線のｋ3端子と接続される。そして、変流器Ｔ2の三次巻線のｌ3端子は変流器Ｔ1の三次巻線のｌ3端子と接続される。ここで、変流器Ｔ1の三次巻線には、ｋ3端子から外部配線を通ってｌ3端子に向かって三次電流ｉ31が流れる。また、変流器Ｔ2の三次巻線には、ｋ3端子から外部配線を通ってｌ3端子に向かって三次電流ｉ32が流れる。変流器Ｔ1，Ｔ2の三次巻線は互いに並列に接続されて閉回路を構成しているため、三次電流ｉ31と三次電流ｉ32とは大きさが同じで位相（電流の向き）が反対であり、以下の式が成り立つ。
ｉ31＋ｉ32＝０  …  式（２）
【００１８】
変流器Ｔ1，Ｔ2は二次ＣＴ比（二次変流比）をＲとする。また、変流器Ｔ1，Ｔ2は三次ＣＴ比（三次変流比）をＳとする。このとき、変流器Ｔ1，Ｔ2それぞれについて以下の式が成り立つ。
ｉ11＝Ｒ×ｉ21＋Ｓ×ｉ31  …  式（３）
ｉ12＝Ｒ×ｉ22＋Ｓ×ｉ32  …  式（４）
【００１９】
式（３）および式（４）から、以下の式が成り立つ。
ｉ11＋ｉ12＝Ｒ×（ｉ21＋ｉ22）＋Ｓ×（ｉ31＋ｉ32）  …  式（５）
【００２０】
さらに、式（１）、式（２）および式（５）から、以下の式のように、二次巻線の電流ｉ2と発電機ＳＧ1，ＳＧ2の出力電流ｉ11，ｉ12との関係が求められる。
ｉ2×Ｒ＝（ｉ11＋ｉ12）／２  …  式（６）
【００２１】
電力検出器２０は、互いに直列に接続された変流器Ｔ1，Ｔ2の二次巻線の電流ｉ2を検出する。また、電力検出器２０は、母線Ｐから発電機ＳＧ1，ＳＧ2の電圧を取得する。電力検出器２０は公知の電力計を用いて構成することができる。電力検出器２０は検出値、つまり変流器Ｔ1，Ｔ2の二次巻線の電流ｉ2と発電機ＳＧ1，ＳＧ2の電圧に基づく電力Ｐ0の情報を制御部１０に出力する。具体的には、電力Ｐ0は電流ｉ2と発電機ＳＧ1，ＳＧ2の電圧とを乗じて得られる。
【００２２】
制御部１０は、電力検出器２０から取得した電力Ｐ0に基づいて発電機ＳＧ1，ＳＧ2の発電電力が等しくなるように制御する。ここで、式（６）から、発電機ＳＧ1，ＳＧ2の平均電力Ｐaと制御部１０が電力検出器２０から取得した電力Ｐ0との関係について、以下の式が成り立つ。
Ｐa＝Ｐ0×Ｒ…  式（７）
つまり、制御部１０は、変流器Ｔ1，Ｔ2の二次ＣＴ比であるＲを電力Ｐ0に乗じることで、発電機ＳＧ1，ＳＧ2の平均電力Ｐaを算出できる。
【００２３】
制御部１０は、例えばＣＰＵ等のプロセッサであってもよい。図１に示されるように、制御部１０は制御信号Ｃ1，Ｃ2によって発電機ＳＧ1，ＳＧ2をそれぞれ制御できる。制御部１０は発電機ＳＧ1，ＳＧ2を制御するのに公知の手法を用いることができる。
【００２４】
例えば、二次ＣＴ比であるＲが８０（４００Ａ／５Ａ）、三次ＣＴ比であるＳが２０（１００Ａ／５Ａ）であるとする。また、例えば、発電機ＳＧ1の出力電流ｉ11は１１０Ａであるとする。そして、例えば、発電機ＳＧ2の出力電流ｉ12は９０Ａで、出力電流ｉ11とは異なっているとする。つまり、発電機ＳＧ1と発電機ＳＧ2とで発電電力が異なっている。電力検出器２０は、二次巻線の電流ｉ2を検出して（式（６）から１．２５Ａ）、電流ｉ2と母線Ｐから取得した発電機ＳＧ1，ＳＧ2の電圧とに基づく電力Ｐ0を制御部１０に出力する。そして、制御部１０は、発電機ＳＧ1，ＳＧ2のそれぞれの発電電力が平均電力Ｐa（電力Ｐ0×Ｒ）になるように制御（調整）する。
【００２５】
（負荷分担装置の制御方法）
図２は、本実施形態に係る負荷分担装置１が実行する処理（制御方法）を説明するためのフローチャートである。
【００２６】
電力検出器２０は二次巻線の電流ｉ2を検出する（ステップＳ１）。そして、電力検出器２０は、二次巻線の電流ｉ2および母線Ｐから取得した発電機ＳＧ1，ＳＧ2の電圧に基づいて電力Ｐ0の情報を制御部１０に出力する。
【００２７】
制御部１０は、電力検出器２０から取得した電力Ｐ0に基づいて、つまり二次巻線の電流ｉ2および母線Ｐの電圧に基づいて、平均電力Ｐaを算出する（ステップＳ２）。平均電力Ｐaと電力検出器２０から取得した電力Ｐ0との関係は上記の式（７）で表される。
【００２８】
制御部１０は、制御信号Ｃ1，Ｃ2によって発電機ＳＧ1，ＳＧ2のそれぞれの発電電力が平均電力Ｐaとなるように制御する（ステップＳ３）。このような一連の処理によって、負荷分担装置１は発電機ＳＧ1，ＳＧ2の発電電力が等しくなるように制御できる。
【００２９】
以上に説明したように、本実施形態に係る負荷分担装置１は、並列運転を行う複数の発電機ＳＧ1，ＳＧ2について、従来技術のような演算を実行することなく、二次巻線の電流ｉ2から容易に平均電流を取得可能である（式（６）参照）。そして、負荷分担装置１は、式（６）および式（７）から、電流ｉ2から平均電力Ｐaを容易に算出でき、発電機ＳＧ1，ＳＧ2のそれぞれを等しい電力で動作させることができる。
【００３０】
［第２実施形態］
図３は、第２実施形態に係る負荷分担装置１の概略構成を例示する図である。図３の例では、容量の等しい３つの発電機ＳＧ1，ＳＧ2，ＳＧ3が母線Ｐに並列に接続されて、並列運転して電力を供給する。本実施形態に係る負荷分担装置１は、３つの発電機ＳＧ1，ＳＧ2，ＳＧ3の出力分担を制御して、発電機ＳＧ1，ＳＧ2，ＳＧ3の発電電力が等しくなるように制御する。図３では、図１と同じ要素には同じ符号を付している。これらの要素については重複説明回避のため詳細な説明を省略する。
【００３１】
負荷分担装置１は、３つの変流器Ｔ1，Ｔ2，Ｔ3と、電力検出器２０と、制御部１０と、を備える。変流器Ｔ1，Ｔ2，Ｔ3のそれぞれは三次巻線付変流器である。
【００３２】
図３に示されるように、発電機ＳＧ1，ＳＧ2，ＳＧ3はそれぞれ出力電流ｉ11，ｉ12，ｉ13を出力する。変流器Ｔ1，Ｔ2，Ｔ3の一次巻線にはそれぞれ出力電流ｉ11，ｉ12，ｉ13が流れる。つまり、変流器Ｔ1の一次電流は発電機ＳＧ1の出力電流ｉ11である。また、変流器Ｔ2の一次電流は発電機ＳＧ2の出力電流ｉ12である。また、変流器Ｔ3の一次電流は発電機ＳＧ3の出力電流ｉ13である。
【００３３】
負荷分担装置１の３つの変流器Ｔ1，Ｔ2，Ｔ3の二次巻線は互いに接続されている。詳細には、これらは互いに直列に接続される。つまり、変流器Ｔ1の二次巻線のｋ2端子は変流器Ｔ2の二次巻線のｌ2端子と接続される。変流器Ｔ2の二次巻線のｋ2端子は変流器Ｔ3の二次巻線のｌ2端子と接続される。そして、変流器Ｔ3の二次巻線のｋ2端子は変流器Ｔ1の二次巻線のｌ2端子と接続される。ここで、変流器Ｔ3の二次巻線には、ｋ2端子から外部配線を通ってｌ2端子に向かって二次電流ｉ23が流れる。二次電流ｉ21，ｉ22については図１と同様である。変流器Ｔ1，Ｔ2，Ｔ3の二次巻線は互いに直列に接続されているため、二次電流ｉ21と二次電流ｉ22と二次電流ｉ23とは大きさも位相も等しく、以下の式が成り立つ。
ｉ21＝ｉ22＝ｉ23＝ｉ2  …  式（８）
【００３４】
負荷分担装置１の２つの変流器Ｔ1，Ｔ2，Ｔ3の三次巻線も互いに接続されている。詳細には、これらは互いに並列に接続される。つまり、変流器Ｔ1の三次巻線のｋ3端子は変流器Ｔ2の三次巻線のｋ3端子および変流器Ｔ3の三次巻線のｋ3端子と接続される。そして、変流器Ｔ1の三次巻線のｌ3端子は変流器Ｔ2の三次巻線のｌ3端子および変流器Ｔ3の三次巻線のｌ3端子と接続される。ここで、変流器Ｔ3の三次巻線には、ｋ3端子から外部配線を通ってｌ3端子に向かって三次電流ｉ33が流れる。三次電流ｉ31，ｉ32については図１と同様である。変流器Ｔ1，Ｔ2，Ｔ3の三次巻線は互いに並列に接続されて閉回路を構成しているため、三次電流ｉ31，ｉ32，ｉ33について以下の式が成り立つ。
ｉ31＋ｉ32＋ｉ33＝０  …  式（９）
【００３５】
変流器Ｔ1，Ｔ2，Ｔ3は二次ＣＴ比をＲとする。また、変流器Ｔ1，Ｔ2，Ｔ3は三次ＣＴ比をＳとする。このとき、変流器Ｔ1，Ｔ2それぞれについては上記の式（３）、式（４）が成り立つ。また、変流器Ｔ3については以下の式が成り立つ。
ｉ13＝Ｒ×ｉ23＋Ｓ×ｉ33  …  式（１０）
【００３６】
式（３）、式（４）および式（１０）から、以下の式が成り立つ。
ｉ11＋ｉ12＋ｉ13＝Ｒ×（ｉ21＋ｉ22＋ｉ23）＋Ｓ×（ｉ31＋ｉ32＋ｉ33）  …  式（１１）
【００３７】
さらに、式（８）、式（９）および式（１１）から、以下の式のように、二次巻線の電流ｉ2と発電機ＳＧ1，ＳＧ2，ＳＧ3の出力電流ｉ11，ｉ12，ｉ13との関係が求められる。
ｉ2×Ｒ＝（ｉ11＋ｉ12＋ｉ13）／３  …  式（１２）
【００３８】
電力検出器２０は、変流器Ｔ1，Ｔ2，Ｔ3の二次巻線の電流ｉ2および母線Ｐから取得した発電機ＳＧ1，ＳＧ2，ＳＧ3の電圧に基づいて電力Ｐ0の情報を制御部１０に出力する。
【００３９】
制御部１０は、電力検出器２０から取得した電力Ｐ0に基づいて発電機ＳＧ1，ＳＧ2，ＳＧ3の発電電力が等しくなるように制御する。制御部１０は、式（７）から、電力検出器２０から取得した電力Ｐ0と変流器Ｔ1，Ｔ2，Ｔ3の二次ＣＴ比（Ｒ）とを乗じることで発電機ＳＧ1，ＳＧ2，ＳＧ3の平均電力Ｐaを算出する。そして、制御部１０は、発電機ＳＧ1，ＳＧ2，ＳＧ3のそれぞれの発電電力が平均電力Ｐaとなるように制御することで発電機ＳＧ1，ＳＧ2，ＳＧ3の発電電力を等しくさせることができる。図３に示されるように、制御部１０は制御信号Ｃ1，Ｃ2，Ｃ3によって発電機ＳＧ1，ＳＧ2，ＳＧ3をそれぞれ制御できる。
【００４０】
例えば、二次ＣＴ比であるＲが８０（４００Ａ／５Ａ）、三次ＣＴ比であるＳが２０（１００Ａ／５Ａ）であるとする。また、例えば、発電機ＳＧ1の出力電流ｉ11は１１０Ａであるとする。例えば、発電機ＳＧ2の出力電流ｉ12は１００Ａであるとする。また、例えば発電機ＳＧ3の出力電流ｉ13は９０Ａであるとする。この例では、発電機ＳＧ1，ＳＧ2，ＳＧ3の出力電流ｉ11，ｉ12，ｉ13は互いに異なっている。つまり、発電機ＳＧ1，ＳＧ2，ＳＧ3のそれぞれの発電電力も互いに異なっている。電力検出器２０は、二次巻線の電流ｉ2を検出して（式（１２）から１．２５Ａ）、電流ｉ2と母線Ｐから取得した発電機ＳＧ1，ＳＧ2，ＳＧ3の電圧とに基づく電力Ｐ0を制御部１０に出力する。そして、制御部１０は発電機ＳＧ1，ＳＧ2，ＳＧ3のそれぞれの発電電力が平均電力Ｐa（電力Ｐ0×Ｒ）になるように制御（調整）する。
【００４１】
以上に説明したように、対象とする発電機を３つに拡張した場合でも、本実施形態に係る負荷分担装置１は、並列運転を行う複数の発電機ＳＧ1，ＳＧ2，ＳＧ3について、二次巻線の電流ｉ2と母線Ｐから取得した発電機ＳＧ1，ＳＧ2，ＳＧ3の電圧から容易に平均電力を取得可能であり、それぞれを等しい電力で動作させることができる。また、本実施形態に係る負荷分担装置１は、第１実施形態に係る負荷分担装置１と同様の手法によって発電電力が等しくなるように制御できる。つまり、図２に記載されたステップＳ１〜Ｓ３を実行することによって、本実施形態に係る負荷分担装置１は複数の発電機の発電電力が等しくなるように制御できる。
【００４２】
［一般化］
第１実施形態および第２実施形態に係る負荷分担装置１は、対象とする発電機が２つの場合でも３つの場合でも同じ制御方法（図２参照）によって、複数の発電機の発電電力が等しくなるように制御できる。一般に、負荷分担装置１は、ｎ個（ｎは２以上の整数）の発電機を制御の対象とする。
【００４３】
図４は、対象とする発電機をｎ個とする場合の負荷分担装置１の構成を示す図である。図４に示されるように、負荷分担装置１は、ｎ個の変流器Ｔ1，Ｔ2，…，Ｔnと、電力検出器２０と、制御部１０と、を備える。変流器Ｔ1，Ｔ2，…，Ｔnのそれぞれは三次巻線付変流器である。ｎが２の場合、図４の負荷分担装置１は、第１実施形態に係る負荷分担装置１の構成を示す。また、ｎが３の場合、図４の負荷分担装置１は、第２実施形態に係る負荷分担装置１の構成を示す。ここで、図４では、図１および図３と同じ要素には同じ符号を付している。これらの要素については重複説明回避のため詳細な説明を省略する。
【００４４】
負荷分担装置１のｎ個の変流器Ｔ1，Ｔ2，…，Ｔnの二次巻線は互いに直列に接続されている。変流器Ｔ1，Ｔ2，…，Ｔnの二次電流ｉ21，ｉ22，…，ｉ2nについて、以下の式が成り立つ。
ｉ21＝ｉ22＝  …  ＝ｉ2n＝ｉ2  …  式（１３）
【００４５】
また、負荷分担装置１のｎ個の変流器Ｔ1，Ｔ2，…，Ｔnの三次巻線は互いに並列に接続されている。変流器Ｔ1，Ｔ2，…，Ｔnの三次電流ｉ31，ｉ32，…，ｉ3nについて、以下の式が成り立つ。
ｉ31＋ｉ32＋  …  ＋ｉ3n＝０  …  式（１４）
【００４６】
変流器Ｔ1，Ｔ2，…，Ｔnは二次ＣＴ比をＲとする。また、変流器Ｔ1，Ｔ2，…，Ｔnは三次ＣＴ比をＳとする。このとき、変流器Ｔj（ｊ＝１，２，…，ｎ）の出力電流ｉ1jについて以下の式が成り立つ。
ｉ1j＝Ｒ×ｉ2j＋Ｓ×ｉ3j  …  式（１５）
【００４７】
そして、式（１３）〜式（１５）により、以下の式のように、二次巻線の電流ｉ2と発電機ＳＧ1，ＳＧ2，…，ＳＧnの出力電流ｉ11，ｉ12，…，ｉ1nとの関係が求められる。
ｉ2×Ｒ＝（ｉ11＋ｉ12＋  …  ＋ｉ1n）／ｎ  …  式（１６）
【００４８】
制御部１０は、電力検出器２０から取得した電力Ｐ0に基づいて複数の発電機ＳＧ1，ＳＧ2，…，ＳＧnの発電電力が等しくなるように制御する。制御部１０は、式（７）から、電力検出器２０から取得した電力Ｐ0と変流器Ｔ1，Ｔ2，…，Ｔnの二次ＣＴ比（Ｒ）とを乗じることで発電機ＳＧ1，ＳＧ2，…，ＳＧnの平均電力Ｐaを算出する。そして、制御部１０は、発電機ＳＧ1，ＳＧ2，…，ＳＧnのそれぞれの発電電力が平均電力Ｐaとなるように、制御信号Ｃ1，Ｃ2，…，Ｃnによって発電機ＳＧ1，ＳＧ2，…，ＳＧnを制御する。
【００４９】
以上のように、一般に、負荷分担装置１はｎ個（ｎは２以上の整数）の発電機を制御の対象とする。負荷分担装置１は、ｎがいくつであっても、同じ制御方法（図２参照）によって複数の発電機の発電電力が等しくなるように制御できる。つまり、負荷分担装置１は、発電機の数に関係なく、並列運転を行う複数の発電機について、二次巻線の電流ｉ2と母線Ｐから取得した発電機ＳＧ1，ＳＧ2，…，ＳＧnの電圧から容易に平均電力を取得可能であり、それぞれを等しい電力で動作させることができる。
【００５０】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００５１】
例えば、上述の実施形態において、変流器Ｔ1，Ｔ2，…，Ｔnの二次ＣＴ比はＲで同じであった。また、変流器Ｔ1，Ｔ2，…，Ｔnの三次ＣＴ比はＳで同じであった。しかし、式（１５）が成り立つと近似できる範囲で、例えば一部の二次ＣＴ比がＲとは異なる値であってもよいし、例えば一部の三次ＣＴ比がＳとは異なる値であってもよい。また、電力検出器２０を無効電力検出器とすると無効電力分担が可能となる。
【符号の説明】
【００５２】
１  負荷分担装置
１０  制御部
２０  電力検出器
Ｃ１，Ｃ２，Ｃ３，Ｃｎ  制御信号
Ｐ  母線
ＳＧ1，ＳＧ2，ＳＧ3，ＳＧn  発電機
Ｔ1，Ｔ2，Ｔ3，Ｔn  変流器
ｉ11，ｉ12，ｉ13，ｉ1n  出力電流
ｉ21，ｉ22，ｉ23，ｉ2n  二次電流
ｉ31，ｉ32，ｉ33，ｉ3n  三次電流
【図１】
0006675913.tif 000002
【図２】
0006675913.tif 000003
【図３】
0006675913.tif 000004
【図４】
0006675913.tif 000005